(57)【特許請求の範囲】
【請求項１】
天板と本体部とＬ形支柱からなる堀コタツ櫓であって、天板にはその裏に本体部に結合するための被結合部が設けられ。本体部には天板と結合するための結合部とＬ形支柱を取付けるための取付け部が設けられ、Ｌ形支柱には本体部に取付けるための被取付け部が設けられ、天板の被結合部と本体部の結合部とをスライド自在に結合し、Ｌ形支柱の被取付け部を本体部の取付け部に挿入自在に取付けできることを特徴とする堀コタツ櫓。
【発明の詳細な説明】
【技術分野】
【０００１】      本発明は掘コタツ櫓に関するものである。
【背景技術】
【０００２】      従来の堀コタツは天板と支柱からなる堀コタツ櫓と、その下に上方が開口した堀コタツ函とが一体的に結合されているのが一般的である。しかし、この構成では、堀コタツ函への出入りが容易でないし、また、堀コタツ櫓が堀コタツ函と一体的に構成されているので、移転する場合移転先の間尺に応じてその都度新しい堀コタツを購入することが必要になってくる。【０００３】      これに対して、特開平０９−２６４５３７号公報には、出入りの時にコタツ櫓の手前を少し持ち上げてから、前方にスライドさせる構成が考えられている。この構成であれば、一応出入りは容易になる。
【特許文献１】特開平０９−２６４５３７号公報
【発明の開示】
【発明が解決しようとする課題】
【０００４】        しかしながら、この特開平０９−２６４５３７号公報に開示されている出入りが楽な堀コタツの構成では、出入りの度に堀コタツ櫓全体を持ち上げる必要があり、またこの構成はコロを設けるなど複雑な構成である。しかも、この構成は堀コタツ櫓と堀コタツ函が一体的に構成されているので、例えば移転する場合、その都度間尺に応じて堀コタツを購入する必要がある。【０００５】      本発明は、どのようなサイズの堀コタツ函にも対応でき、しかも堀コタツ函への出入りがスムーズになる堀コタツ櫓を開発することにある。
【課題を解決するための手段】
【０００６】      このような課題を解決するために、本発明の堀コタツ櫓は、天板と本体部とＬ形支柱からなる堀コタツ櫓であって、天板にはその裏に本体部に結合するための被結合部が設けられ。本体部には天板と結合するための結合部とＬ形支柱を取付けるための取付け部が設けられ、Ｌ形支柱には本体部に取付けるための被取付け部が設けられ、天板の被結合部と本体部の結合部とをスライド自在に結合し、Ｌ形支柱の被取付け部を本体部の取付け部に挿入自在に取付けできることを特徴とするものである。
【発明の効果】
【０００７】        本発明は天板の被結合部と本体部の結合部をスライド自在に結合する構成にしたので、堀コタツ函への出入りがスムーズにできる。【０００８】        本体部の取付け部にＬ形支柱の被取付け部を挿入自在に取付けられるので、あらゆるサイズの堀コタツ函に対応して設置することができる。【０００９】      その結果、本願発明の堀コタツ櫓はどのようなサイズの堀コタツ函であっても設置が可能で、しかも、本願発明の堀コタツ櫓であれば、天板をスライドするだけで堀コタツ函への出入りも、常にスムーズに行えるので、どの地方に移転しても堀コタツを買い換えることもなく一つの堀コタツ櫓で対応できる。
【発明を実施するための最良の形態】
【００１０】    本発明の堀コタツ櫓の構成を図１〜図３に基づいて説明すると、本願発明の堀コタツ櫓は図１、図２に図示すように、天板１と本体部２とＬ形支柱３とかなる堀コタツ櫓である。天板１は図１に示すように正方形であって、その裏には天板１の中心線から左右等間隔に本体部２に結合するための被結合部１ａ、１ａが設けられている。被結合部１ａの形状は例えば図１、図３に図示されているような形状が考えられる。本体部２は図１に示すように天板１を結合するための結合部２１ａ、２１ａと、結合部２１ａの下方に取付けられたＬ形支柱３を取付けるための取付け部２ａで構成されている。結合部２１ａの結合形状は図１，図３に示されているように被結合部１ａに対応した形状が考えられ、取付け部２ａはパイプ状に形成され、Ｌ形支柱３を挿入できる受け入れ口が設けられている。Ｌ形支柱３は図１に示すようにＬ形に形成され、脚部と被取付け部３ａで構成されている。被取付け部３ａは本体部２の取付け部２ａの受け入れ口に挿入できる形状で構成されている。【００１１】      天板１の本体部２への取付け方法に付いて説明すると、図１、図２で図示しているように、天板１の被結合部１ａ、１ａを本体部２の結合部２１ａ、２１ａにスライド自在に取付ける。このスライド構成によって、天板１を自由に前後へスライドさせることが出来る構成になっている。【００１２】      Ｌ形支柱３の本体部２への取り付け方法に付いて説明すると、図１、図３に図示されているように、本体部２の取り付け部２ａの受け入れ口にＬ形支柱３の被取付け部３ａを挿入自在に取り付ける、この挿入自在の構成によって、この堀コタツ櫓は、どのようなサイズの堀コタツ函４にも対応できる構成になっている。【００１３】      このようにして出来上がった堀コタツ櫓の設置方法に付いて説明すると、本体部２に天板１とＬ形支柱３を組み付けた状態で、堀コタツ函４に設置する。この時に、Ｌ形支柱３を挿入自在に動かして、堀コタツ函４のサイズに対応した状態で位置決めする。その時にＬ形支柱３を堀コタツ函４に固定するために、取り付けバンド５によって固定する。【００１４】      次にその使用方法について説明すると、図４、図５に図示されているように、堀コタツ函４に入る場合は、天板１を前にスライドさせて入る空間を充分に確保した状態で、足を堀コタツ函４に挿入し、その後天板１を引き戻して位置決めする。また堀コタツ函４より出る場合は、天板１を前にスライドさせて、出る空間を充分に確保した状態で、足を堀コタツ函４の内より外に出した後で、天板１をスライドさせて元に戻す。【００１５】      スライドの構成や挿入自在の構成は実施例に図示した構成だけではなく、前述の構成を有するものであればどのような構成でも構わない。
【図面の簡単な説明】
【００１６】
【図１】本発明の堀コタツ櫓の構成図
【図２】スライドの構成を示した平面図
【図３】本体部と天板のＡ−Ａ断面図
【図４】堀コタツへの出入り時のスライドのイメージＢ−Ｂ断面図
【図５】コタツ櫓使用中のイメージＢ−Ｂ断面図
【符号の説明】
【００１７】    １      天板
１ａ    被結合部
２      本体部
２ａ    取付け部
２１ａ  結合部
３      Ｌ形支柱
３ａ    被取付け部
４      堀コタツ函
５      取付けバンド
【要約】
【課題】      どのようなサイズの堀コタツ函にも対応でき、しかも堀コタツ函の出入りがスムーズになる堀コタツ櫓を開発すること。
【解決手段】    天板１と本体部２とＬ形支柱３からなる堀コタツ櫓であって、天板１にはその裏に本体部２に結合するための被結合部１ａ、１ａが設けられ、本体部２には天板１と結合するための結合部２１ａ、２１ａが設けられ、またＬ形支柱３を取付けるための取付け部２ａが設けられ、Ｌ形支柱３には本体部２に取付けるための被取付け部３ａが設けられ、天板１の被結合部１ａと本体部２の結合部２１ａをスライド自在に結合し、Ｌ形支柱３の被取付け部３ａを本体部２で取付け部２ａの受け入れ口に挿入自在に取付けできる構成である。
【選択図】図１【図１】
0004186128.tif 000002
【図２】
0004186128.tif 000003
【図３】
0004186128.tif 000004
【図４】
0004186128.tif 000005
【図５】
0004186128.tif 000006